(57)【要約】  【課題】複数のサービスの連携処理をカード内部で迅速に行うことができるＩＣカードと、それを装着する携帯端末とを提供する。  【解決手段】携帯端末４０に装着されたＩＣカード５０に、レストラン３０への来店時の交通費を払い戻す交通費払戻クーポンがダウンロードされる。ＩＣカード５０は、カードアプリ間の連携処理を行う連携カードアプリを具備し、連携カードアプリは、電子乗車券カードアプリで保持された改札履歴とクレジットカードアプリで保持されたクレジット利用履歴とを収集して、交通費払戻クーポンで規定された実行条件を満足しているか否かを判定し、実行条件を満足している時、来店時の交通費を電子乗車券カードアプリに加算する。カードアプリ間の連携処理を、ＩＣカードを装着した携帯端末４０側だけで行うことができる。  【選択図】図１
2005316992.tif 000002
【特許請求の範囲】
【請求項１】
複数のカードアプリケーションを備えるセキュアデバイスであって、
前記カードアプリケーション間の連携処理の処理内容と前記連携処理の実行条件とが記述された連携クーポンと、前記連携クーポンに基づいてカードアプリケーション間の連携処理を実行する連携カードアプリケーションとを備え、
前記連携カードアプリケーションが他の前記カードアプリケーションで保持された情報を収集して、前記実行条件を満足しているか否かを判定し、前記実行条件を満足しているときに、前記連携処理を実行することを特徴とするセキュアデバイス。
【請求項２】
前記連携処理として、前記連携カードアプリケーションが他の前記カードアプリケーションで保持された情報を書き換えることを特徴とする請求項１に記載のセキュアデバイス。
【請求項３】
前記連携クーポンには、電子バリューが含まれており、前記連携カードアプリケーションは、前記連携処理として、前記電子バリューを他の前記カードアプリケーションに対して発行することを特徴とする請求項１に記載のセキュアデバイス。
【請求項４】
前記連携クーポンには、前記連携カードアプリケーションの他の前記カードアプリケーションに対する認証処理及びデータ通信処理を規定するカードアプリケーションプラグインデータと、前記認証処理に用いる認証鍵データとが含まれており、前記連携カードアプリケーションは、前記カードアプリケーションプラグインデータをロードして、前記カードアプリケーションからの情報収集及び連携処理を行うことを特徴とする請求項１から請求項３のいずれかに記載のセキュアデバイス。
【請求項５】
前記連携クーポンには、さらに前記情報収集及び連携処理における前記連携カードアプリケーションと他の前記カードアプリケーションとの携帯端末による仲介処理を可能にする端末アプリケーションプラグインデータが含まれており、前記連携カードアプリケーションは、前記端末アプリケーションプラグインデータをセキュアデバイスが装着された携帯端末に送信し、前記携帯端末を介して、他の前記カードアプリケーションからの情報収集及び連携処理を行うことを特徴とする請求項４に記載のセキュアデバイス。
【請求項６】
第１のインターフェイスを利用する第１のカードアプリケーションと、
第２のインターフェイスを利用する第２のカードアプリケーションと、
前記第１のカードアプリケーションが保持する情報または前記第２のカードアプリケーションが保持する情報の内容を条件として前記第１のカードアプリケーションおよび前記第２のカードアプリケーションの少なくとも一方と連携処理を行う連携カードアプリケーションと
を備えることを特徴とするセキュアデバイス。
【請求項７】
カードアプリケーションを備えるセキュアデバイスであって、
他のセキュアデバイスのカードアプリケーションとの連携処理の処理内容と前記連携処理の実行条件とが記述された連携クーポンと、前記連携クーポンに基づいて他のセキュアデバイスのカードアプリケーションとの連携処理を実行する連携カードアプリケーションと
を備え、前記連携カードアプリケーションが他のセキュアデバイスの前記カードアプリケーションで保持された情報を収集して、前記実行条件を満足しているか否かを判定し、前記実行条件を満足しているときに、前記連携処理を実行することを特徴とするセキュアデバイス。
【請求項８】
前記連携処理として、前記連携カードアプリケーションが他のセキュアデバイスの前記カードアプリケーションで保持された情報を書き換えることを特徴とする請求項７に記載のセキュアデバイス。
【請求項９】
前記連携クーポンには、電子バリューが含まれており、前記連携カードアプリケーションは、前記連携処理として、前記電子バリューを他のセキュアデバイスの前記カードアプリケーションに対して発行することを特徴とする請求項７に記載のセキュアデバイス。
【請求項１０】
前記連携クーポンには、前記連携カードアプリケーションの、他のセキュアデバイスの前記カードアプリケーションに対する認証処理及びデータ通信処理を規定するカードアプリケーションプラグインデータと、前記認証処理に用いる認証鍵データとが含まれており、前記連携カードアプリケーションは、前記カードアプリケーションプラグインデータをロードして、他のセキュアデバイスの前記カードアプリケーションからの情報収集及び連携処理を行うことを特徴とする請求項７から請求項９のいずれかに記載のセキュアデバイス。
【請求項１１】
前記連携クーポンには、さらに前記情報収集及び連携処理における前記連携カードアプリケーションと他のセキュアデバイスの前記カードアプリケーションとの携帯端末による仲介処理を可能にする端末アプリケーションプラグインデータが含まれており、前記連携カードアプリケーションは、前記端末アプリケーションプラグインデータをセキュアデバイスが装着された携帯端末に送信し、前記携帯端末を介して、他のセキュアデバイスの前記カードアプリケーションからの情報収集及び連携処理を行うことを特徴とする請求項１０に記載のセキュアデバイス。
【請求項１２】
前記連携クーポンが交通費払戻クーポンであって、連携カードアプリケーションがクレジットカードアプリケーションからクレジット利用履歴を、電子乗車券カードアプリケーションから改札履歴をそれぞれ収集して、前記実行条件を満足しているか否かを判定し、前記連携処理として、前記改札履歴から算出された金額を前記電子乗車券カードアプリケーションが管理するプリペイドマネーに加算することを特徴とする請求項２または請求項８に記載のセキュアデバイス。
【請求項１３】
前記連携クーポンが交通費払戻クーポン、前記電子バリューが電子買物券であって、連携カードアプリケーションがクレジットカードアプリケーションからクレジット利用履歴を、電子乗車券カードアプリケーションから改札履歴をそれぞれ収集して、前記実行条件を満足しているか否かを判定し、前記連携処理として、前記電子買物券を前記電子買物券カードアプリに対して発行することを特徴とする請求項３または請求項９に記載のセキュアデバイス。
【請求項１４】
カードアプリケーション間の連携処理の処理内容と前記連携処理の実行条件とが記述された連携クーポンと、前記連携クーポンに基づいてカードアプリケーション間の連携処理を実行する連携カードアプリケーションと、他のカードアプリケーションとを備えたセキュアデバイスを具備する携帯端末であって、
前記連携カードアプリケーションが携帯端末を介して他の前記カードアプリケーションで保持された情報を収集して、前記実行条件を満足しているか否かを判定し、前記実行条件を満足しているときに、携帯端末を介して前記連携処理を実行することを特徴とする携帯端末。
【請求項１５】
前記連携クーポンには、前記連携カードアプリケーションの他の前記カードアプリケーションに対する認証処理及びデータ通信処理を規定するカードアプリケーションプラグインデータと、前記認証処理に用いる認証鍵データと、携帯端末によるカードアプリケーションへのアクセスを可能にする端末アプリケーションプラグインデータとが含まれており、前記連携カードアプリケーションが、前記カードアプリケーションプラグインデータをロードして他の前記カードアプリケーションからの情報収集及び連携処理を行うとき、前記端末アプリケーションプラグインデータをロードして前記情報収集及び連携処理を仲介することを特徴とする請求項１４に記載の携帯端末。
【請求項１６】
前記連携カードアプリケーションを備える第１のセキュアデバイスと、前記連携カードアプリケーションが連携処理するカードアプリケーションの少なくとも一つを備える第２のセキュアデバイスとを包含することを特徴とする請求項１４または請求項１５に記載の携帯端末。
【請求項１７】
前記連携クーポンを、無線ネットワークを介して連携クーポン管理サーバから受信し、前記セキュアデバイスに格納し、前記連携クーポンに基づく連携処理の履歴を無線ネットワークを介して前記連携クーポン管理サーバへ送信することを特徴とする請求項１４から請求項１６のいずれかに記載の携帯端末。
【請求項１８】
カードアプリケーション間の連携処理の処理内容と前記連携処理の実行条件とが記述された連携クーポンを、無線ネットワークを介して携帯端末に装着されたセキュアデバイスに発行することを特徴とする連携クーポン管理サーバ。
【請求項１９】
前記連携クーポンには、電子バリューと前記電子バリューの利用に必要なカードアプリケーションとが含まれており、前記連携カードアプリケーションは、前記連携処理として、前記電子バリューの利用に必要なカードアプリケーションを前記セキュアデバイスにインストールすることを特徴とする請求項１に記載のセキュアデバイス。
【請求項２０】
前記連携クーポンには、さらに前記電子バリューの利用に必要な端末アプリケーションが含まれており、前記連携カードアプリケーションは、前記電子バリューの利用に必要な端末アプリケーションを前記セキュアデバイスが装着された携帯端末にインストールすることを特徴とする請求項１９に記載のセキュアデバイス。
【請求項２１】
前記連携クーポンには、電子バリューと前記電子バリューの利用に必要なカードアプリケーションとが含まれており、前記連携カードアプリケーションは、前記連携処理として、前記電子バリューの利用に必要なカードアプリケーションを前記他のセキュアデバイスにインストールすることを特徴とする請求項７に記載のセキュアデバイス。
【請求項２２】
前記連携クーポンには、さらに前記電子バリューの利用に必要な端末アプリケーションが含まれており、前記連携カードアプリケーションは、前記電子バリューの利用に必要なカードアプリケーションを前記他のセキュアデバイスが装着された携帯端末にインストールすることを特徴とする請求項２１に記載のセキュアデバイス。
【発明の詳細な説明】
【技術分野】
【０００１】
本発明は、ＩＣカード等のセキュアデバイスと、それを装着した携帯端末に関し、セキュアデバイスに格納されたカードアプリケーション（以下、アプリケーションを「アプリ」と略称する）間の連携処理を可能にしたものである。
【背景技術】
【０００２】
近年、ＩＣカードは、電子決済用カードや定期乗車券、イベント用チケット、ポイントサービス用カード等として広く利用されている。最近では、微細化技術の向上とも相俟って、比較的大容量の記憶空間を持つＩＣカードが作られており、このようなＩＣカードは、カードサービスを実行する複数のカードアプリを格納することにより、一枚で複数の用途に対応するマルチアプリカードとして使用することができる。このＩＣカードを装着した携帯電話を財布代わりに持ち、これ一つで電子決済やチケット予約等を行い、また、定期乗車券やイベント入場券等としても使用する時代が現実化しようとしている。
【０００３】
また、ＩＣカード等を利用する複数のサービスを連携させて、ユーザの利便性やサービスの差別化を図る動きもある。
例えば、特開２００２−３２４２５６号公報には、ある店舗で買物をする際に、乗車券として使用した携帯端末の利用履歴から来店時の交通費を算出し、この交通費を店舗側で負担するシステムが記載されている。このシステムでは、携帯端末で保持されたデータキャリア（ＩＣカード）に、鉄道等の交通手段における電子チケットを格納し、この携帯端末を自動改札機に翳して駅の改札を通過すると、ＩＣカードには、乗車駅や降車駅、支払額等の改札履歴が記録される。店舗で商品を購入したユーザが、精算時に携帯端末をＰＯＳ端末に翳すと、ＰＯＳ端末は、ＩＣカードから改札履歴情報を読み取り、来店時に費やした交通費を確認してユーザの商品購入金額から交通費を減算した額により決済を行う。
【０００４】
また、このシステムにおける他の形態では、携帯端末を翳して自動改札機を通過したときの改札通過情報が鉄道会社側の収入管理サーバで蓄積・管理される。一方、店舗に設置されたＰＯＳ端末は、インターネットアクセス手段を持ち、精算時にユーザが翳した携帯端末から携帯端末ＩＤを取得すると、インターネットを通じて収入管理サーバにアクセスして、該当する携帯端末ＩＤの改札履歴情報を参照し、来店時に費やした交通費を確認してユーザの商品購入金額から交通費を減算した額により決済を行う。
このように、複数のサービスの連携を図ることにより、ユーザを惹きつけるユニークなサービスを提供することができる。
【特許文献１】特開２００２−３２４２５６号公報
【発明の開示】
【発明が解決しようとする課題】
【０００５】
しかし、前記特許文献１に記載されたシステムでは、ＰＯＳ端末に電子チケットの改札履歴を読み出す機能を追加したり、ＰＯＳ端末にインターネットアクセス手段を追加したり、鉄道会社の収入管理サーバ側にＰＯＳ端末からのアクセスを可能にする機能を加えたりする等、大掛りな設備の改変が必要であり、大規模な設備投資が強いられる。特に、収入管理サーバへのアクセス機能に関しては、厳重なセキュリティ対策を講じる必要があり多額のコスト負担を伴うことになる。
【０００６】
本発明は、こうした従来の問題点を解決するものであり、複数のサービスの連携処理をカード内部で迅速に行うことができるＩＣカード等のセキュアデバイスと、それを保持する携帯端末とを提供することを目的としている。
【課題を解決するための手段】
【０００７】
本発明のセキュアデバイスは、カードアプリ間の連携処理の処理内容と連携処理の実行条件とが記述された連携クーポンと、連携クーポンに基づいてカードアプリケーション間の連携処理を実行する連携カードアプリケーションとを備え、連携カードアプリケーションが他のカードアプリで保持された情報を収集して、前記実行条件を満足しているか否かを判定し、実行条件を満足しているときに、連携処理を実行する。
そのため、カードアプリ間の連携処理を、セキュアデバイスを装着した携帯端末側だけで即時的に行うことができる。
【０００８】
また、連携処理として、連携カードアプリケーションによって他のカードアプリで保持された情報の書き換えが行われる。
また、連携クーポンには、電子バリューが含まれており、連携カードアプリは、連携処理として、電子バリューを他のカードアプリケーションに対して発行する。
また、連携クーポンには、連携カードアプリの他のカードアプリに対する認証処理及びデータ通信処理を規定するカードアプリプラグインデータと、前記認証処理に用いる認証鍵データとが含まれており、連携カードアプリは、カードアプリプラグインデータをロードして、カードアプリからの情報収集及び連携処理を行う。
また、連携クーポンには、さらに前記情報収集及び連携処理における連携カードアプリと他のカードアプリとの携帯端末による仲介処理を可能にする端末アプリプラグインデータが含まれており、連携カードアプリは、端末アプリプラグインデータを携帯端末に送信し、携帯端末を介して、他のカードアプリからの情報収集及び連携処理を行う。
【０００９】
また、本発明のセキュアデバイスは、第１のインターフェイスを利用する第１のカードアプリケーションと、第２のインターフェイスを利用する第２のカードアプリケーションと、前記第１のカードアプリケーションが保持する情報または前記第２のカードアプリケーションが保持する情報の内容を条件として前記第１のカードアプリケーションおよび前記第２のカードアプリケーションの少なくとも一方と連携処理を行う連携カードアプリケーションとを備える。
また、本発明のセキュアデバイスは、他のセキュアデバイスのカードアプリとの連携処理の処理内容と連携処理の実行条件とが記述された連携クーポンと、連携クーポンに基づいて他のセキュアデバイスのカードアプリとの連携処理を実行する連携カードアプリとを備え、連携カードアプリが他のセキュアデバイスの前記カードアプリで保持された情報を収集して、実行条件を満足しているか否かを判定し、前記実行条件を満足しているときに、連携処理を実行する。
【００１０】
また、本発明の携帯端末は、カードアプリ間の連携処理の処理内容と連携処理の実行条件とが記述された連携クーポンと、連携クーポンに基づいてカードアプリ間の連携処理を実行する連携カードアプリと、他のカードアプリとを備えたセキュアデバイスを具備し、連携カードアプリが携帯端末を介して他のカードアプリで保持された情報を収集して、実行条件を満足しているか否かを判定し、実行条件を満足しているときに、携帯端末を介して連携処理を実行する。
このセキュアデバイスは、携帯端末に装着する形態のものでも、部品として携帯端末に内蔵されるものでも良い。
また、連携クーポンには、連携カードアプリの他のカードアプリに対する認証処理及びデータ通信処理を規定するカードアプリプラグインデータと、前記認証処理に用いる認証鍵データと、携帯端末のカードアプリへのアクセスを可能にする端末アプリプラグインデータとが含まれており、連携カードアプリが、カードアプリプラグインデータをロードして他のカードアプリからの情報収集及び連携処理を行うとき、携帯端末は、端末アプリプラグインデータをロードして情報収集及び連携処理を仲介する。
また、携帯端末は、連携カードアプリを備える第１のセキュアデバイスと、連携カードアプリが連携処理するカードアプリの少なくとも一つを備える第２のセキュアデバイスとを包含する。
また、携帯端末は、連携クーポンを、無線ネットワークを介して受信し、セキュアデバイスに格納する。
【００１１】
また、本発明の連携クーポン管理サーバは、カードアプリ間の連携処理の処理内容と連携処理の実行条件とが記述された連携クーポンを、無線ネットワークを介して携帯端末に装着されたセキュアデバイスに発行する。
【００１２】
本発明のセキュアデバイスは、カードアプリ間の連携処理をセキュアデバイス内部で迅速に行うことができる。そのため、セキュアデバイスと通信して所要の処理を行うＰＯＳ端末などの外部機器に、サービスの連携を図るための新たな機能を追加しなくても、ローコストで各カードアプリによるサービスを連携させることができる。
また、本発明の携帯端末は、このセキュアデバイスに連携クーポンをダウンロードし、また、連携カードアプリとカードアプリとのデータ交換を仲介して、カードアプリ間の連携処理を支援する。
【発明を実施するための最良の形態】
【００１３】
（第１の実施形態）
本発明の第１の実施形態では、本発明のＩＣカードが装着された携帯端末を用いて複数のサービスの連携を図るシステムの一例について説明する。このシステムでは、ＩＣカードを鉄道乗車券として利用する電子乗車券サービスと、ＩＣカードをクレジットカードとして利用するクレジット決済サービスとが連携され、郊外レストランの食事代やホテルの宿泊代をクレジットで決済する場合に、現地までの鉄道交通費を払い戻すサービス（交通費払戻クーポンサービス）が実施される。
【００１４】
このシステムは、図１に示すように、交通費払戻クーポンサービスを実行するレストラン（あるいはホテル）３０と、レストラン３０の依頼を受けて交通費払戻クーポンを発行する連携サービス提供者２０と、電子乗車券サービスやクレジット決済サービスに利用するＩＣカード５０が装着された携帯端末４０と、ユーザの改札通過時に携帯端末４０のＩＣカード５０に改札履歴を書き込む改札機１０とを備えている。
交通費払戻クーポンは、交通費を払い戻すことが保証された特別メニュー（レストラン）や宿泊プラン（ホテル）の予約券である。連携サービス提供者２０は、鉄道事業者や、それと提携したクレジットカード会社等であり、ユーザの個人情報（ユーザの住所、ユーザ属性やユーザが保有するカードアプリの種類などのユーザ情報）を集めたユーザ情報データベース（ＤＢ）２１と、交通費払戻クーポンを生成・管理する連携クーポン管理サーバ２２とを具備し、レストラン（あるいはホテル）３０からの要求に基づいて交通費払戻クーポンを発行する。
【００１５】
図１では、このシステムの動作順序を括弧内の数字で示している。レストラン（あるいはホテル）３０は、連携サービス提供者２０に対し、クーポンの発行条件（交通費払戻金額の上限、交通費払戻に応じる最低利用金額、クーポン発行枚数、対象者の居住地域等）を指定して交通費払戻クーポンの発行を要求する（１）。連携サービス提供者２０は、指定された居住地域の対象者をユーザ情報ＤＢ２１から検索し（２）、該当者の携帯端末４０に交通費払戻クーポンの発行案内を送信する（３）。交通費払戻クーポンを希望するユーザは、携帯端末４０を用いて、連携サービス提供者２０にクーポンのダウンロードを要求し（４）、連携サービス提供者２０は、要求に応えて交通費払戻クーポンをダウンロードする（５）。この交通費払戻クーポンは、携帯端末４０に装着されたＩＣカード５０に格納される。
【００１６】
ＩＣカード５０は、改札機１０やＰＯＳ端末との間で非接触通信を行う非接触通信手段と、携帯端末４０またはＰＯＳ端末との間で接触通信を行う接触通信手段とを有し、また、電子乗車券サービスを実行するカードアプリと、クレジット決済サービスを実行するカードアプリと、交通費払戻クーポンに基づいて双方のカードアプリ間の連携処理を行う連携カードアプリとが格納されている。
【００１７】
交通費払戻クーポンを取得したユーザは、鉄道を利用してレストラン３０に出掛ける場合に、乗車駅及び降車駅の改札で携帯端末４０を改札機１０に翳す。このとき、改札機１０は、携帯端末４０に装着されたＩＣカード５０と非接触通信を行い、電子乗車券サービスのカードアプリを選択して改札処理を実行し、カードアプリは、処理結果の改札履歴をＩＣカード５０に書き込む（６）。なお、この場合の改札処理は、ＩＣカード５０を携帯端末４０に装着した状態で行うのではなく、直接、ＩＣカード５０を改札機１０に翳して行うようにしても良い。
【００１８】
次に、ユーザは、レストラン３０で交通費払戻クーポンを携帯端末４０の画面に表示してレストラン側に提示し、食事をして、その代金の支払い時にレストラン３０のＰＯＳ端末に携帯端末４０を翳して、交通費払戻クーポンを使用し（７）、さらに、クレジットで決済を行う（８）。このとき、ＰＯＳ端末は、携帯端末４０に装着されたＩＣカード５０と非接触通信を行い、連携カードアプリを選択して交通費払戻クーポンに使用済みと書き込み、さらに、クレジット決済サービスのカードアプリを選択してクレジット決済処理を実行し、カードアプリは、クレジット利用履歴をＩＣカード５０に書き込む。なお、この場合の交通費払戻クーポンの使用とクレジット決済処理は、ＩＣカード５０を携帯端末４０に装着した状態で行うのではなく、ＩＣカード５０を店舗側に渡し、ＰＯＳ端末とＩＣカード５０とが接触通信をして行うようにしても良い。
【００１９】
ＩＣカード５０の連携カードアプリは、クレジット利用履歴や改札履歴等を読み出し、クレジットの利用が交通費払戻の条件を満たしている場合に、改札履歴から求めた現地までの交通費を電子乗車券のプリペイド残高に加算する（９）。携帯端末４０は、交通費払戻処理の履歴情報を連携サービス提供者２０に送信する（１０）。その後、連携サービス提供者２０は、レストラン３０との間で払い戻した交通費の精算処理を行う（１１）。
このように、このシステムでは、交通費払戻処理がＩＣカード５０を装着した携帯端末４０側だけで行われるため、改札機１０との間で行う改札処理、及び、レストラン３０のＰＯＳ端末との間で行うクレジット決済処理に関しては、既存のシステムを変更する必要がない。そのため、改札機１０やＰＯＳ端末に、新たな機能を追加する必要が無く、このシステム全体の設備投資にかかる費用を低く抑えることができる。
【００２０】
また、このシステムでは、改札履歴に基づいて払い戻す交通費を算出しているので、実費を正確に算出することが可能であり、必要以上の払い戻しをすることがないので、レストラン３０側の費用の負担を抑えることができる。例えば、定期券の区間を乗り越して来店した場合には、乗り越し区間の交通費だけを払い戻すといったことができる。また、来店時の交通費を２倍して、往復の交通費を正確に払い戻すことも可能である。
また、このシステムでは、ユーザの住所などに基づいて、交通費払戻クーポンの発行案内の送信先を限定することができ、交通費払戻クーポンサービスの対象者を的確に特定することができる。
【００２１】
このシステムには、レストランやホテルだけでなく、レジャー施設やデパートなど、各種店舗・事業体が加盟でき、このシステムの加盟店は、客が少ない時期や時間帯を対象に交通費払戻クーポンを発行して集客を図ることができる。この交通費払戻クーポンは、商品やサービスの価格の割引ではないので、店や商品のブランドイメージを保つことができる。
連携サービス提供者２０となるクレジットカード会社は、加盟店からクーポン発行による手数料収入を得ることができ、また、クレジット利用金額の増加が見込める。
また、連携サービス提供者２０となる鉄道会社は、加盟店からクーポン発行による手数料収入を得ることができるとともに、鉄道の乗降客の増加が見込める。
【００２２】
なお、ここでは、加盟店の利用に応じて交通費を払い戻す例について説明したが、それに代えて（あるいは、それと共に）、連携サービス提供者２０がクレジット会社の場合には、加盟店での利用に応じて、加盟店で利用できる電子買物券などの電子バリューをＩＣカード５０に蓄積したり、連携サービス提供者２０が百貨店系のクレジット会社の場合には、その百貨店で利用できる電子買物券などの電子バリューをＩＣカード５０に蓄積したり、また、連携サービス提供者２０が鉄道会社の場合には、加盟店の利用に応じて、沿線の加盟店で利用可能なプリペイドマネーなどの電子バリューをＩＣカード５０に蓄積したりしても良い。この場合、ユーザがＩＣカード５０に蓄積された電子バリューをまた利用することにより、加盟店及び連携サービス提供者２０の売り上げの増加に繋がる。
【００２３】
（第２の実施形態）
本発明の第２の実施形態では、第１の実施形態におけるＩＣカード５０として、内部のメモリの記憶容量が大きいＩＣカード５０（ここでは「モバイルＥＣカード」と言う）を用いた場合の、本発明におけるサービスの連携により適した構成について説明する。
【００２４】
図２は、モバイルＥＣカード５０のハード構成を示している。このモバイルＥＣカード５０は、携帯端末４０と接触通信を行うための接触ホストインターフェイス（I／Ｆ）５１と、例えば自動改札機との間で非接触通信を行うための非接触Ｉ／Ｆ（Ａ）５２と、例えばＰＯＳ端末との間で非接触通信を行うための非接触Ｉ／Ｆ（Ｂ）５３と、カードアプリＡ（６１）、Ｂ（６２）、連携カードアプリ６３（カードアプリＣ）を格納した秘匿性に富む耐タンパ性領域（ＴＲＭ）５４と、記憶容量が大きいフラッシュメモリ５５とを具備し、フラッシュメモリ５５の中には、ＴＲＭ５４に準ずる秘匿性を持つセキュアフラッシュメモリ領域５６をカードアプリ毎に設定することができる。
【００２５】
ＴＲＭ５４は、内部にカードアプリを実行するＣＰＵと、カードアプリを格納するメモリとを有している。ＴＲＭ５４には、マルチタスクに対応したカードＯＳが搭載され、複数のカードアプリを実行することができ、また、セキュアフラッシュメモリ領域５６の各データは、ＴＲＭ５４の対応するカードアプリしかアクセスできないように管理されており、そのためセキュアフラッシュメモリ領域５６では、ＴＲＭ５４に準ずる秘匿性が維持される。
【００２６】
モバイルＥＣカード５０に格納された複数のカードアプリは、一般のＩＣカードの場合も同様であるが、それぞれ、ファイヤーウォールにより他のカードアプリから隔絶され、カードアプリ間のデータの直接的な受け渡しは、通常できないようになっているが、本発明のモバイルＥＣカード５０では、カードアプリの一つとして、カードアプリ間の連携処理を行う連携カードアプリがＴＲＭ５４に搭載され、この連携カードアプリが、携帯端末４０を介して、他の各カードアプリとデータの交換を行い、カードアプリ間の連携処理を実行する。
【００２７】
図３は、モバイルＥＣカード５０に、例えば電子乗車券サービスを実行するカードアプリ（Ａ）６１と、例えばクレジット決済サービスを実行するカードアプリ（Ｂ）６２と、双方のカードアプリの連携処理を行う連携カードアプリ６３とが格納された状態を示している。
カードアプリ（Ａ）６１は、カードアプリ（Ａ）６１の状態を示す状態情報６１１と、非接触Ｉ／Ｆ（Ａ）５２を通じて改札機１０との間で行った処理の履歴情報６１２とを保持し、カードアプリ（Ｂ）６２は、カードアプリ（Ｂ）６２の状態を示す状態情報６２１と、非接触Ｉ／Ｆ（Ｂ）５３を通じてＰＯＳ端末との間で行った処理の履歴情報６２２とを保持し、また、連携カードアプリ６３は、連携カードアプリ６３の状態を示す状態情報６３１と、カードアプリ（Ａ）６１及びカードアプリ（Ｂ）６２間の連携処理を実行する連携処理実行部６３３と、連携処理の履歴情報６３２とを保持し、さらに、連携サービス提供者２０の連携クーポン管理サーバ２２から無線ネットワークを介してダウンロードされた連携クーポン２２０（第１の実施形態の「交通費払戻クーポン」に相当）を、例えばセキュアフラッシュメモリ領域５６に設けた連携クーポン蓄積部６３４で保持している。連携クーポン蓄積部６３４には、複数の連携クーポン２２０が保持される。
【００２８】
連携クーポン２２０は、図４に示すように、連携クーポン２２０自体の状態（使用済みか否か、連携処理が完了しているか否か）を示す連携クーポン状態情報２２１と、連携カードアプリ６３の連携処理実行部６３３が連携処理を実行するための条件を示す連携処理実行条件２２２と、連携処理の際に携帯端末４０の端末アプリにロードされる端末アプリプラグインデータ２２３と、連携処理の際に連携カードアプリ６３の連携処理実行部６３３にロードされるカードアプリプラグインデータ２２４と、連携処理の際に連携カードアプリ６３が他のカードアプリ６１、６２との認証処理及びデータ処理に用いる鍵データ群から成る認証鍵データ２２５と、連携クーポン２２０の内容を携帯端末４０の画面に表示するためのテキスト及び画像情報から成る連携クーポン表示データ２２６とでデータフォーマットが構成されている。
【００２９】
連携処理実行条件２２２は、連携クーポン状態情報２２１並びに連携カードアプリ６３及び他のカードアプリ６１、６２の状態情報６３１、６１１、６２１または履歴情報６３２、６１２、６２２が満たすべき条件を規定しており、また、無線ネットワークを介して接続する特定のサーバ上のデータ内容が条件として規定される場合もある。交通費払戻クーポンでは、連携処理実行条件２２２として、交通費払戻クーポン利用店舗のＩＤ、同店舗の最寄り駅のＩＤ、クレジットカードの種類、利用金額の下限値等が規定され、カードアプリ（Ｂ）の状態情報６２１に記述されたクレジットカードの種類、及び履歴情報６２２に記述されたクレジット利用店舗のＩＤが、それぞれ、連携処理実行条件２２２のクレジットカードの種類、及び交通費払戻クーポン利用店舗のＩＤに一致し、前記履歴情報６２２に記述されたその店舗での利用金額が連携処理実行条件２２２の利用金額の下限値より高く、また、カードアプリ（Ａ）の履歴情報６１２に記述された降車駅ＩＤが連携処理実行条件２２２の最寄り駅ＩＤに一致する場合に、カードアプリ間の連携処理が実行される。
【００３０】
また、端末アプリプラグインデータ２２３は、携帯端末４０の端末アプリが、その内容に基づいて、連携カードアプリ６３とカードアプリＡ（６１）との間、または連携カードアプリ６３とカードアプリＢ（６２）との間の仲介処理を行うための情報である。前者の仲介処理を行うための情報は、例えば、カードアプリＡ（６１）のアプリＩＤ（ＡＩＤ）や、カードアプリＡ（６１）との応答に用いるコマンド及びレスポンスの形式を指定するＡＰＤＵコマンド群等を内容とし、また、後者の仲介処理を行うための情報は、例えば、カードアプリＢ（６２）のアプリＩＤ（ＡＩＤ）や、カードアプリＢ（６２）との応答に用いるコマンド及びレスポンスの形式を指定するＡＰＤＵコマンド群等を内容としている。
また、カードアプリプラグインデータ２２４は、連携カードアプリ６３の連携処理実行部６３３が、その内容に基づいて、カードアプリＡ（６１）またはカードアプリＢ（６２）との認証処理及びデータ交換処理を行うための情報である。
【００３１】
なお、加盟店での利用に応じて、電子買物券や映画やイベントの電子チケットを発行する場合には、図５に示すように、連携処理において他のカードアプリに発行する電子買物券や電子チケット等の電子バリュー（「連携クーポン発行電子バリュー」２２７）が連携クーポンのデータフォーマットの中に追加される。この連携クーポン発行電子バリュー２２７は、次回の来店のための電子乗車券や割引クーポン等の電子バリューや、音楽コンテンツや映像コンテンツ等のオブジェクトデータであっても良い。
【００３２】
ユーザは携帯端末４０を操作してモバイルＥＣカード５０の連携クーポン蓄積部６３４に格納されている連携クーポンの中から１つの連携クーポンを選択して携帯端末４０の画面に表示することができる。このとき、連携処理実行部６３３が連携処理の実行条件の判定に必要な情報を収集して、モバイルＥＣカード５０からは連携クーポン２２０の連携クーポン状態情報２２１と連携クーポン表示データ２２６と共に、連携処理実行条件２２２の個々の要件の内、どの要件が満たされているか否かといった情報を含む連携クーポンの内容を示すデータが携帯端末４０に送信され、携帯端末４０の画面に表示される。
図６のフロー図は、連携カードアプリ６３が、蓄積された連携クーポン２２０に基づいてカードアプリ間の連携処理を行う手順を示している。この処理は、ＰＯＳ端末との決済処理等に引き続いて行われる。
【００３３】
連携カードアプリ６３は、連携クーポン２２０の中の端末アプリプラグインデータ２２３を携帯端末４０に送信し、カードアプリプラグインデータ２２４をロードして、連携処理実行条件２２２の判定に必要な他のカードアプリの状態情報６１１、６２１や履歴情報６１２、６２２を、携帯端末４０の端末アプリを介して収集する（ステップ１）。
このとき、例えばカードアプリＡの履歴情報６１２を収集する場合、端末アプリは、受信した端末アプリプラグインデータをロードし、端末アプリプラグインデータの中に含まれるカードアプリＡのＡＩＤ及びカードアプリＡ用のコマンド群を用いてカードアプリＡにアクセスして、連携カードアプリ６３と連携するカードアプリとしてカードアプリＡを選択する。
【００３４】
連携カードアプリ６３の連携処理実行部６３３は、カードアプリプラグインデータ２２４に基づき、認証鍵データ２２５を用いてカードアプリＡと相互認証処理を行い、データ交換の暗号鍵に使用するセッション鍵を交換する。次に連携処理実行部６３３は、カードアプリＡの履歴情報６１２を要求するデータ交換要求メッセージをセッション鍵で暗号化し、端末アプリを介してカードアプリＡに送信する。カードアプリＡは、このデータ交換要求に基づき、セッション鍵で暗号化した履歴情報６１２を含むデータ交換応答メッセージを、端末アプリを介して連携カードアプリ６３の連携処理実行部６３３に送信する。このデータ交換を仲介する端末アプリは、連携カードアプリ６３からカードアプリＡに送るデータをカードアプリＡのコマンド形式に変換し、カードアプリＡから連携カードアプリ６３に送るデータを連携カードアプリ６３のコマンド形式に変換する。
カードアプリＡの状態情報６１１を収集する場合も履歴情報６１２を収集する場合と同様の処理を行い、また、カードアプリＢの状態情報６２１や履歴情報６２２を収集する場合も、同様の処理を行う。
【００３５】
実行条件の判定に必要な情報を収集した連携処理実行部６３３は、収集した情報が連携処理実行条件２２２を満たしているか否かを判定する（ステップ２）。例えば、交通費払戻クーポンの場合には、クーポンが使用済み（店舗に提示済み）で、指定された店舗で、指定されたクレジットカードで、指定された金額以上が使用されているかを判定する。
実行条件を満たしている場合には、連携処理実行部６３３は、ステップ１の場合と同様に、連携処理の対象となるカードアプリとの間で認証鍵データ２２５を用いて相互認証処理を実行し、セッション鍵を交換する。そして、カードアプリプラグインデータ２２４に基づいて、セッション鍵で暗号化したデータを送信して、連携処理を実行する（ステップ３）。例えば、交通費払戻クーポンの場合では、電子乗車券カードアプリの改札履歴を読出し、ユーザが支払った交通費と同等の金額を電子乗車券カードアプリのプリペイド残高に加算する。
【００３６】
次に、連携処理実行部６３３は、連携クーポン２２０が連携クーポン発行電子バリュー２２７を発行するように設定されているか否かを判定する（ステップ４）。連携クーポン発行電子バリュー２２７が設定されている場合には、指定されたカードアプリに対して、連携クーポン発行電子バリューをセッション鍵で暗号化して送信し、指定されたカードアプリに対して連携クーポン発行電子バリューを発行する（ステップ５）。
次に、連携処理実行部６３３は、連携処理の履歴を連携カードアプリ６３の履歴情報６３２に格納し、連携クーポン２２０を消去して連携処理を終了する（ステップ６）。
この後、携帯端末４０はモバイルＥＣカード５０から連携処理の完了応答を受信し、連携処理の結果を画面に表示する。
また、連携カードアプリ６３の履歴情報６３２に格納された連携処理の履歴は、後日、適当なタイミングで、無線ネットワークを介して連携クーポン管理サーバ２２に送信される。
【００３７】
また、以上の説明では、連携クーポンの中に連携クーポン発行電子バリュー２２７として、次回の来店のための電子乗車券や割引クーポン等の電子バリューや、音楽コンテンツや映像コンテンツ等のオブジェクトデータが含まれるとしたが、連携クーポンの中に、さらに、この連携クーポン発行電子バリュー２２７を扱うカードアプリや端末アプリが含まれるようにしても良い。
【００３８】
連携クーポン発行電子バリューをカードアプリに対して発行する場合には、連携クーポン発行電子バリューが発行されるべきカードアプリが予めモバイルＥＣカード５０にインストールされている必要があり、また、連携クーポン発行電子バリューを利用する際には、端末アプリが携帯端末４０にインストールされている必要がある場合がある。連携クーポンの中に、連携クーポン発行電子バリュー２２７を扱うカードアプリや端末アプリを組み込み、連携処理実行部６３３が連携クーポン発行電子バリュー２２７を発行する処理の際に、必要に応じてカードアプリをモバイルＥＣカードに、端末アプリを携帯端末にそれぞれインストールするようにすることで、予め必要なカードアプリや端末アプリがインストールされていない場合であっても、ユーザは連携クーポン発行電子バリュー２２７を利用できるようになる。
【００３９】
この場合、図１０に示すように、連携クーポンには、連携クーポン発行電子バリュー２２７を処理するカードアプリである連携クーポン発行カードアプリ２２８と、連携クーポン発行電子バリュー２２７を直接処理またはカードアプリによって処理された連携クーポン発行電子バリュー２２７を間接的に処理する端末アプリである連携クーポン発行端末アプリ２２９とが含まれる。
連携クーポンには、連携クーポン発行電子バリュー２２７と連携クーポン発行カードアプリ２２８と連携クーポン発行端末アプリ２２９の３種類のデータが常に含まれている必要はなく、連携クーポン発行電子バリュー２２７の種類によって、連携クーポン発行電子バリュー２２７と連携クーポン発行カードアプリ２２８とが含まれている場合や、連携クーポン発行電子バリュー２２７と連携クーポン発行端末アプリ２２９とが含まれている場合もある。
【００４０】
連携クーポン発行電子バリューが、特定のカードアプリと特定の端末アプリを必要とする種類の電子バリューである場合、連携クーポンには、連携クーポン発行電子バリュー２２７と連携クーポン発行カードアプリ２２８と連携クーポン発行端末アプリ２２９の３種類のデータが含まれる。例えば、連携クーポン発行電子バリューが特定の商店やショッピングセンターでのみ利用可能な電子買物券で、その電子買物券を利用するためには、その電子買物券を扱うことが出来るカードアプリと、その電子買物券の内容の表示等を行う端末アプリが必要となる場合、連携クーポンの中には、電子買物券が連携クーポン発行電子バリュー２２７として、電子買物券の管理及び電子買物券の使用処理を行う電子買物券カードアプリが連携クーポン発行カードアプリ２２８として、電子買物券カードアプリと通信して電子買物券の内容の表示及び携帯端末からの使用操作を行う電子買物券端末アプリが連携クーポン発行端末アプリ２２９として、それぞれ含まれる。
【００４１】
また、連携クーポン発行電子バリューが、特定のカードアプリは必要でるが端末アプリは必要としない種類の電子バリューである場合、連携クーポンには、連携クーポン発行電子バリュー２２７と連携クーポン発行カードアプリ２２８が含まれる。例えば、連携クーポン発行電子バリューが優良顧客を対象としたイベント会場への電子入場券で、その電子入場券を利用するためには、その電子入場券を扱うことが出来るカードアプリが必要となる場合、連携クーポンの中には、電子入場券が連携クーポン発行電子バリュー２２７として、電子入場券の管理及び電子入場券の使用処理を行う電子入場券カードアプリが連携クーポン発行カードアプリ２２８として、それぞれ含まれる。
【００４２】
また、連携クーポン発行電子バリューが、特定の端末アプリは必要でるがカードアプリは必要としない種類の電子バリューである場合、連携クーポンには、連携クーポン発行電子バリュー２２７と連携クーポン発行端末アプリ２２９が含まれる。例えば、連携クーポン発行電子バリューが優良顧客へのみ提供される映像コンテンツで、その映像コンテンツを再生するためには、その映像コンテンツを再生することが出来る専用の端末アプリが必要となる場合、連携クーポンの中には、映像コンテンツが連携クーポン発行電子バリュー２２７として、映像コンテンツの管理及び再生を行うコンテンツプレーヤ端末アプリが連携クーポン発行カードアプリ２２８として、それぞれ含まれる。
【００４３】
また、連携クーポンに連携クーポン発行カードアプリ２２８が含まれる場合、端末アプリプラグインデータ２２３には、さらに、携帯端末４０の端末アプリがその内容に基づいて連携カードアプリ６３とカードマネージャ６４０との間の仲介処理を行うための情報、具体的には、端末アプリがカードマネージャ６４０との通信に用いるコマンド及びレスポンスの形式を指定するＡＰＤＵコマンド群等を内容とする情報が含まれ、連携クーポンの認証鍵データ２２５には、さらに、連携カードアプリによる連携クーポン発行カードアプリ２２８のモバイルＥＣカード５０へのインストール処理におけるカードマネージャ６４０と連携カードアプリとの間での認証処理及びデータ処理に用いる鍵データが含まれ、連携クーポンのカードアプリプラグインデータ２２４には、さらに、連携カードアプリによる連携クーポン発行カードアプリ２２８のモバイルＥＣカード５０へのインストール処理における連携カードアプリが認証鍵データ２２５を用いて行うカードマネージャ６４０との認証処理及びデータ処理を規定する情報が含まれる。
【００４４】
また、連携クーポンに連携クーポン発行端末アプリ２２９が含まれる場合、連携クーポンのカードアプリプラグインデータ２２４には、連携カードアプリによる連携クーポン発行端末アプリ２２９の携帯端末４０へのインストール処理における連携カードアプリが行う携帯端末４０との認証処理及びデータ処理を規定する情報が含まれる。
【００４５】
連携クーポンの中に連携クーポン発行カードアプリ２２８または連携クーポン発行端末アプリ２２９が含まれている場合、図６の連携処理のフローのステップ５において、連携処理実行部６３３は、指定されたカードアプリまたは端末アプリに対して連携クーポン発行電子バリュー２２７を発行する処理を行う前に次のような処理を行う。連携クーポンに連携クーポン発行カードアプリ２２８が含まれる場合には、図１１に示すように、連携処理実行部６３３はモバイルＥＣカード５０内のカードアプリを管理するカードマネージャ６４０との連携処理によって連携クーポン発行カードアプリ２２８をモバイルＥＣカード５０にインストールする。この時、連携処理実行部６３３は、カードアプリプラグインデータ２２４に基づき認証鍵データ２２５を用いてカードマネージャ６４０と相互認証処理を行い、データ交換の暗号鍵に使用するセッション鍵を交換し、連携クーポン発行カードアプリ２２８をセッション鍵で暗号化してカードマネージャへ送信する。カードマネージャ６４０は、受信した連携クーポン発行カードアプリ２２８の復号化及び電子署名の検証を行い、カードアプリケーションとして登録する。また、連携クーポンに連携クーポン発行端末アプリ２２９が含まれる場合には、図１１に示すように、連携処理実行部６３３は携帯端末４０との連携処理によって連携クーポン発行端末アプリ２２９を携帯端末４０にインストールする。この時、連携処理実行部６３３は、カードアプリプラグインデータ２２４に基づき携帯端末４０と相互認証処理を行い、連携クーポン発行端末アプリ２２９を携帯端末４０へ送信する。携帯端末４０は、受信した連携クーポン発行端末アプリ２２９の電子署名の検証を行い、端末アプリケーションとして登録する。この場合、予め必要なカードアプリや端末アプリがモバイルＥＣカード５０または携帯端末４０にインストールされていなくも、ユーザは連携クーポン発行電子バリュー２２７を直ぐに利用できるようになる。
【００４６】
また、以上の説明では、連携処理実行部６３３が連携クーポン発行カードアプリ２２８をモバイルＥＣカード５０にインストール、または、連携クーポン発行端末アプリ２２９を携帯端末４０にインストールしてから連携クーポン発行電子バリュー２２７を発行するとしたが、連携処理実行部６３３がカードアプリプラグインデータ２２４に基づき連携カードアプリ内で指定された連携クーポン発行カードアプリ２２８または連携クーポン発行端末アプリ２２９の中に連携クーポン発行電子バリュー２２７を組み込む処理を行って、連携クーポン発行カードアプリ２２８と連携クーポン発行端末アプリ２２９をインストールする処理を行うようにして良く、また、連携クーポンのデータ構造として、連携クーポン発行カードアプリ２２８または連携クーポン発行端末アプリ２２９のデータの中に連携クーポン発行電子バリューに相当する情報が組み込まれていても良く、この場合には、連携処理実行部６３３は連携クーポン発行カードアプリ２２８と連携クーポン発行端末アプリ２２９をインストールする処理だけを行う。
【００４７】
このように、このモバイルＥＣカードを用いることにより、連携クーポン２２０は秘匿性のセキュアフラッシュメモリ領域５６に格納され、カードアプリプラグインデータ２２４に基づく処理はタンパ性のＴＲＭ５４内で行われるので、複数のサービスの連携処理を、モバイルＥＣカード５０を装着した携帯端末４０側だけで安全に行うことができる。そのため、サービス間の連携処理を行うためにＰＯＳ端末などの既存のシステムを改変する必要がない。
このモバイルＥＣカードは、携帯端末に装着する形態のものでも、部品として携帯端末に内蔵されるものでも良い。
また、ここでは、モバイルＥＣカードが、セキュアフラッシュメモリ領域を持つ、大きな記憶領域を有するものとして説明したが、連携クーポン表示データ２２６のデータサイズを制限したり、連携クーポン蓄積部６３４に蓄積される連携クーポンの数を制限したりすることで、通常のＩＣカードをモバイルＥＣカードとして用いることも可能である。
【００４８】
（第３の実施形態）
本発明の第３の実施形態では、異なるＩＣカードに搭載されたカードアプリ間の連携処理を行う場合について説明する。
図７は、カードアプリ（Ａ）７１が搭載されたＩＣカード７０と、連携カードアプリ８２及びカードアプリ（Ｂ）８１が搭載され、連携カードアプリ８２がカードアプリ（Ｂ）８１とカードアプリ（Ａ）７１との連携処理を行うモバイルＥＣカード８０の構成を示している。
このＩＣカード７０は、例えば部品として携帯端末４０に内蔵され、モバイルＥＣカード８０は、例えば携帯端末に装着される。
【００４９】
ＩＣカード７０のカードアプリ（Ａ）７１は、カードアプリ（Ａ）７１の状態を示す状態情報７１１と、カードアプリ（Ａ）７１が行った処理の履歴情報７１２とを保持し、また、モバイルＥＣカード８０のカードアプリ（Ｂ）８１は、カードアプリ（Ｂ）８１の状態を示す状態情報８１１と、カードアプリ（Ｂ）８１が行った処理の履歴情報８１２とを保持し、モバイルＥＣカード８０の連携カードアプリ８２は、連携カードアプリ８２の状態を示す状態情報８２１と、カードアプリ（Ａ）７１及びカードアプリ（Ｂ）８１間の連携処理を実行する連携処理実行部８２３と、その連携処理の履歴情報８２２とを保持し、さらに、連携サービス提供者２０の連携クーポン管理サーバ２２から無線ネットワークを介してダウンロードされた連携クーポン２２０を連携クーポン蓄積部８２４で保持している。連携クーポン蓄積部８２４には、複数の連携クーポン２２０が保持される。
【００５０】
連携クーポン管理サーバ２２からダウンロードされる連携クーポン２２０のデータフォーマットは、図４または図５に示すものと変わりがない。但し、この場合、連携クーポン２２０の連携処理実行条件２２２は、連携クーポン状態情報２２１並びにＩＣカード７０のカードアプリ（Ａ）７１の状態情報７１１または履歴情報７１２と、モバイルＥＣカード８０の連携カードアプリ８０及びカードアプリＢ（８１）の状態情報８１１、８２１または履歴情報８１２、８２２が満たすべき条件を規定している。
連携カードアプリ６３の連携処理実行部６３３は、蓄積された連携クーポン２２０に基づいて、図６のフロー図の手順により、モバイルＥＣカード８０のカードアプリ（Ｂ）８１とＩＣカード７０のカードアプリ（Ａ）７１との連携処理を実行する。この処理は、ＰＯＳ端末との決済処理等に引き続いて行われる。
【００５１】
連携カードアプリ８２は、連携クーポン２２０の中の端末アプリプラグインデータ２２３を携帯端末４０に送信し、カードアプリプラグインデータ２２４をロードし、連携処理実行条件２２２の判定に必要なＩＣカード７０のカードアプリ（Ａ）７１やモバイルＥＣカード８０のカードアプリ（Ｂ）８１の状態情報７１１、８１１及び履歴情報７１２、８１２を、携帯端末４０の端末アプリを介して収集する（ステップ１）。
このとき、例えばＩＣカード７０のカードアプリ（Ａ）７１の履歴情報７１２を収集する場合、端末アプリは、受信した端末アプリプラグインデータをロードし、端末アプリプラグインデータの中に含まれるカードアプリＡのＡＩＤ及びカードアプリＡ用のコマンド群を用いてＩＣカード７０のカードアプリ（Ａ）７１にアクセスして、モバイルＥＣカード８０の連携カードアプリ８２と連携するカードアプリとしてカードアプリＡを選択する。
【００５２】
連携カードアプリ８２の連携処理実行部８２３は、カードアプリプラグインデータ２２４に基づき、認証鍵データ２２５を用いてＩＣカード７０のカードアプリ（Ａ）７１と相互認証処理を行い、データ交換の暗号鍵に使用するセッション鍵を交換する。次に連携処理実行部８２３は、カードアプリ（Ａ）７１の履歴情報７１２を要求するデータ交換要求メッセージをセッション鍵で暗号化し、端末アプリを介してＩＣカード７０のカードアプリ（Ａ）７１に送信する。カードアプリ（Ａ）７１は、このデータ交換要求に基づき、セッション鍵で暗号化した履歴情報７１２を含むデータ交換応答メッセージを、端末アプリを介してモバイルＥＣカード８０の連携カードアプリ８２の連携処理実行部８２３に送信する。このデータ交換を仲介する端末アプリは、モバイルＥＣカード８０の連携カードアプリ８２からＩＣカード７０のカードアプリ（Ａ）７１に送るデータをカードアプリ（Ａ）７１のコマンド形式に変換し、ＩＣカード７０のカードアプリ（Ａ）７１からモバイルＥＣカード８０の連携カードアプリ８２に送るデータを連携カードアプリ８２のコマンド形式に変換する。
【００５３】
カードアプリＡの状態情報７１１を収集する場合も履歴情報７１２を収集する場合と同様の処理を行い、また、カードアプリＢの状態情報８１１や履歴情報８１２を収集する場合も、同様の処理を行う。
こうして実行条件の判定に必要な情報を収集したモバイルＥＣカード８０の連携カードアプリ８２の連携処理実行部８２３は、収集した情報が連携処理実行条件２２２を満たしているか否かを判定する（ステップ２）。実行条件を満たしている場合、連携カードアプリ８２の連携処理実行部８２３は、ステップ１の場合と同様に、連携処理の対象となるカードアプリとの間で認証鍵データ２２５を用いて相互認証処理を行い、セッション鍵を交換する。そして、カードアプリプラグインデータ２２４に基づいて、セッション鍵で暗号化したデータを送信して、連携処理を実行する（ステップ３）。
【００５４】
次に、連携カードアプリ８２の連携処理実行部８２３は、連携クーポン２２０が連携クーポン発行電子バリュー２２７を発行するように設定されているか否かを判定し（ステップ４）、連携クーポン発行電子バリュー２２７が設定されている場合には、指定されたカードアプリに対して、連携クーポン発行電子バリューをセッション鍵で暗号化して送信し、指定されたカードアプリに対して連携クーポン発行電子バリューを発行する（ステップ５）。
次に、連携カードアプリ８２の連携処理実行部８２３は、連携処理の履歴を連携カードアプリ８２の履歴情報８２２に格納し、連携クーポン２２０を消去して連携処理を終了する（ステップ６）。
この後、携帯端末４０はモバイルＥＣカード５０から連携処理の完了応答を受信し、連携処理の結果を画面に表示する。
また、連携カードアプリ８０の履歴情報８２２に格納された連携処理の履歴は、後日、適当なタイミングで、無線ネットワークを介して連携クーポン管理サーバ２２に送信される。
【００５５】
また、以上の本実施形態の説明では、連携クーポンの中に連携クーポン発行電子バリュー２２７として、次回の来店のための電子乗車券や割引クーポン等の電子バリューや、音楽コンテンツや映像コンテンツ等のオブジェクトデータが含まれるとしたが、連携クーポンの中に、さらに、この連携クーポン発行電子バリュー２２７を扱うカードアプリや端末アプリが含まれるようにしても良い。
【００５６】
連携クーポン発行電子バリューをカードアプリに対して発行する場合には、連携クーポン発行電子バリューが発行されるべきカードアプリが予めＩＣカード７０またはモバイルＥＣカード８０にインストールされている必要があり、また、連携クーポン発行電子バリューを利用する際には、端末アプリが携帯端末４０にインストールされている必要がある場合がある。連携クーポンの中に、連携クーポン発行電子バリュー２２７を扱うカードアプリや端末アプリを組み込み、連携処理実行部８２３が連携クーポン発行電子バリュー２２７を発行する処理の際に、必要に応じてカードアプリをＩＣカードまたはモバイルＥＣカードに、端末アプリを携帯端末にそれぞれインストールするようにすることで、予め必要なカードアプリや端末アプリがインストールされていない場合であっても、ユーザは連携クーポン発行電子バリュー２２７を利用できるようになる。
この場合、図１０に示すように、連携クーポンには、連携クーポン発行電子バリュー２２７を処理するカードアプリである連携クーポン発行カードアプリ２２８と、連携クーポン発行電子バリュー２２７を直接処理またはカードアプリによって処理された連携クーポン発行電子バリュー２２７を間接的に処理する端末アプリである連携クーポン発行端末アプリ２２９とが含まれる。
【００５７】
また、連携クーポンに連携クーポン発行カードアプリ２２８が含まれる場合、端末アプリプラグインデータ２２３には、さらに、携帯端末５４０の端末アプリがその内容に基づいて連携カードアプリ８２とＩＣカード７０のカードマネージャ６４３またはモバイルカード８０のカードマネージャ６４０との間の仲介処理を行うための情報、具体的には、端末アプリがカードマネージャ６４３またはカードマネージャ６４０との通信に用いるコマンド及びレスポンスの形式を指定するＡＰＤＵコマンド群等を内容とする情報が含まれ、連携クーポンの認証鍵データ２２５には、さらに、連携カードアプリによる連携クーポン発行カードアプリ２２８のＩＣカード７０へのインストール処理におけるカードマネージャ６４３と連携カードアプリとの間での認証処理及びデータ処理に用いる鍵データ、または、連携カードアプリによる連携クーポン発行カードアプリ２２８のモバイルＥＣカード８０へのインストール処理におけるカードマネージャ６４０と連携カードアプリとの間での認証処理及びデータ処理に用いる鍵データが含まれ、連携クーポンのカードアプリプラグインデータ２２４には、さらに、連携カードアプリによる連携クーポン発行カードアプリ２２８のＩＣカード７０へのインストール処理における連携カードアプリが認証鍵データ２２５を用いて行うカードマネージャ６４３との認証処理及びデータ処理を規定する情報、または、連携カードアプリによる連携クーポン発行カードアプリ２２８のモバイルＥＣカード８０へのインストール処理における連携カードアプリが認証鍵データ２２５を用いて行うカードマネージャ６４０との認証処理及びデータ処理を規定する情報が含まれる。
【００５８】
また、連携クーポンに連携クーポン発行端末アプリ２２９が含まれる場合、連携クーポンのカードアプリプラグインデータ２２４には、連携カードアプリによる連携クーポン発行端末アプリ２２９の携帯端末４０へのインストール処理における連携カードアプリが行う携帯端末４０との認証処理及びデータ処理を規定する情報が含まれる。
【００５９】
連携クーポンの中に連携クーポン発行カードアプリ２２８または連携クーポン発行端末アプリ２２９が含まれている場合、図６の連携処理のフローのステップ５において、連携処理実行部８２３は、指定されたカードアプリまたは端末アプリに対して連携クーポン発行電子バリュー２２７を発行する処理を行う前に次のような処理を行う。連携クーポンに連携クーポン発行カードアプリ２２８が含まれる場合には、図１２に示すように、連携処理実行部８２３はＩＣカード７０内のカードアプリを管理するカードマネージャ６４３との連携処理によって連携クーポン発行カードアプリ２２８をＩＣカード７０にインストール、または、モバイルＥＣカード８０内のカードアプリを管理するカードマネージャ６４０との連携処理によって連携クーポン発行カードアプリ２２８をモバイルＥＣカード８０にインストールする（図１２では、モバイルＥＣカード８０にインストールする場合については図示していない）。
【００６０】
この時、どちらのカードに連携クーポン発行カードアプリ２２８をインストールするかは、カードアプリプラグインデータ２２４の中で規定されている。ＩＣカード７０にインストールする場合は、連携処理実行部８２３は、カードアプリプラグインデータ２２４に基づき認証鍵データ２２５を用いてカードマネージャ６４３と相互認証処理を行い、データ交換の暗号鍵に使用するセッション鍵を交換し、連携クーポン発行カードアプリ２２８をセッション鍵で暗号化してカードマネージャへ送信する。カードマネージャ６４３は、受信した連携クーポン発行カードアプリ２２８の復号化及び電子署名の検証を行い、カードアプリケーションとして登録する。モバイルＥＣカード８０にインストールする場合、連携処理実行部８２３は、カードアプリプラグインデータ２２４に基づき認証鍵データ２２５を用いてカードマネージャ６４０と相互認証処理を行い、データ交換の暗号鍵に使用するセッション鍵を交換し、連携クーポン発行カードアプリ２２８をセッション鍵で暗号化してカードマネージャへ送信する。カードマネージャ６４０は、受信した連携クーポン発行カードアプリ２２８の復号化及び電子署名の検証を行い、カードアプリケーションとして登録する。
【００６１】
また、連携クーポンに連携クーポン発行端末アプリ２２９が含まれる場合には、図１２に示すように、連携処理実行部８２３は携帯端末４０との連携処理によって連携クーポン発行端末アプリ２２９を携帯端末４０にインストールする。この時、連携処理実行部８２３は、カードアプリプラグインデータ２２４に基づき携帯端末４０と相互認証処理を行い、連携クーポン発行端末アプリ２２９を携帯端末４０へ送信する。携帯端末４０は、受信した連携クーポン発行端末アプリ２２９の電子署名の検証を行い、端末アプリケーションとして登録する。この場合、予め必要なカードアプリや端末アプリがＩＣカード７０またはモバイルＥＣカード８０または携帯端末４０にインストールされていなくも、ユーザは連携クーポン発行電子バリュー２２７を直ぐに利用できるようになる。
【００６２】
また、以上の説明では、連携処理実行部８２３が連携クーポン発行カードアプリ２２８をＩＣカード７０（またはモバイルＥＣカード８０）にインストール、または、連携クーポン発行端末アプリ２２９を携帯端末４０にインストールしてから連携クーポン発行電子バリュー２２７を発行するとしたが、連携処理実行部８２３がカードアプリプラグインデータ２２４に基づき連携カードアプリ内で指定された連携クーポン発行カードアプリ２２８または連携クーポン発行端末アプリ２２９の中に連携クーポン発行電子バリュー２２７を組み込む処理を行って、連携クーポン発行カードアプリ２２８と連携クーポン発行端末アプリ２２９をインストールする処理を行うようにして良く、また、連携クーポンのデータ構造として、連携クーポン発行カードアプリ２２８または連携クーポン発行端末アプリ２２９のデータの中に連携クーポン発行電子バリューに相当する情報が組み込まれていても良く、この場合には、連携処理実行部８２３は連携クーポン発行カードアプリ２２８と連携クーポン発行端末アプリ２２９をインストールする処理だけを行う。
【００６３】
このように、携帯端末４０とモバイルＥＣカード８０及び連携クーポン２２０とを構成することにより、異なるセキュアデバイスに格納されたカードアプリ間の連携処理を行うことも可能である。
また、ここでは、モバイルＥＣカードが、セキュアフラッシュメモリ領域を持つ、大きな記憶領域を有するものとして説明したが、連携クーポン表示データ２２６のデータサイズを制限したり、連携クーポン蓄積部６３４に蓄積される連携クーポンの数を制限したりすることで、通常のＩＣカードをモバイルＥＣカードとして用いることも可能である。
【実施例】
【００６４】
本発明のより具体的な実施の形態について説明する。
（実施例１）
本発明の第１の実施例として、鉄道事業者が連携サービス提供者となって交通費払戻クーポンを発行するシステムについて説明する。
このシステムは、図８に示すように、交通費払戻クーポンサービスを実行するクーポン利用店舗３１と、クーポン利用店舗３１の依頼を受けて交通費払戻クーポンを発行する鉄道事業者２３と、自動改札機１２を備えた駅１１と、モバイルＥＣカード９０が装着された携帯端末４０とで構成される。クーポン利用店舗３１としては、鉄道事業者が運営する鉄道沿線のレストランやホテルや旅館などの宿泊施設、及び、レジャー施設等が想定される。
【００６５】
クーポン利用店舗３１はＰＯＳ端末３２を具備し、また、鉄道事業者２３は、ユーザの個人情報を集めたユーザ情報ＤＢ２１と、クーポン生成手段２５及びユーザ検索手段２６を有する連携クーポン管理サーバ２２とを具備し、クーポン生成手段２５は、交通費払戻クーポン２５１を発行する。
モバイルＥＣカード９０は、電子乗車券カードアプリ９１と、クレジットカードアプリ９４と、連携カードアプリ９３とを備え、連携カードアプリ９３に対して設定したセキュアフラッシュメモリ領域９２に、鉄道事業者２３の連携クーポン管理サーバ２２からダウンロードされた交通費払戻クーポン２５１が蓄積される。
電子乗車券カードアプリ９１は、定期券９１１、プリペイドマネー９１２及び改札履歴９１３を保持し、クレジットカードアプリ９４は、クレジットカード情報９４１及びクレジット利用履歴９４２を保持し、また、連携カードアプリ９３は、連携処理実行部９３３を備えるとともに、状態情報９３１及び履歴情報９３２を保持している。
【００６６】
図８では、このシステムの動作順序を括弧内の数字で示している。クーポン利用店舗３１は、交通費払戻クーポンの発行条件として、交通費払戻金額の上限、交通費払戻クーポンの発行枚数、交通費払戻クーポンの使用を認める利用金額の下限等について鉄道事業者２３に伝え、交通費払戻クーポンの発行を要求する（１）。
鉄道事業者２３の連携クーポン管理サーバ２２のユーザ検索手段２６は、ユーザ情報ＤＢ２１にアクセスし、ユーザの住所やユーザが所有する定期券情報から、交通費払戻クーポンの発行条件を満たすユーザ（交通費払戻金額が上限を超えない範囲に住所あるいは定期券を有するユーザ等）を検索し、クーポン生成手段２２３は、交通費払戻クーポン２５１を生成する。この交通費払戻クーポン２５１は、図４のデータフォーマットを有し、指定クーポン利用店で、指定クレジットカードを用いて指定金額以上使用した場合に、交通費を払い戻すことが規定されている。
【００６７】
鉄道事業者２３は、検索したユーザにクーポン発行案内を送信し、クーポンを要求するユーザに交通費払戻クーポン２５１を発行する（２）。この交通費払戻クーポン２５１は、モバイルＥＣカード９０の連携カードアプリ９３に対して設定されたセキュアフラッシュメモリ領域９２に格納される。
ユーザは、鉄道を利用してクーポン利用店舗３１へ移動する。その際、プリペイドマネー９１２を利用した改札処理の履歴が電子乗車券カードアプリ９１の改札履歴９１３に記録される（３）。ユーザは、クーポン利用店舗３１において商品の購入やサービスの提供を受け、交通費払戻クーポン２５１を使用し、クレジットカードアプリ９４で代金の決済処理を行う（４）。
連携カードアプリ９３の連携処理実行部９３３は、携帯端末４０を介し、クレジット利用履歴９４２及び改札履歴９１３を収集して、交通費払戻クーポン２５１の実行条件を判定し、指定クーポン利用店で、指定クレジットカードを用いて指定金額以上使用されている場合に、改札履歴９１３に記録されている、来店時にプリペイドマネー９１２から支払われた交通費と同額をプリペイドマネー９１２に加算する連携処理を行う（５）。
ユーザは、その鉄道事業者が運営する鉄道を利用する際に、払い戻されたプリペイドマネーを利用して新たな改札処理を行う（６）。
【００６８】
このように、このシステムのモバイルＥＣカード９０は、クレジットカードアプリ９４と電子乗車券カードアプリ９１との連携処理をオフラインで即時に行うことができる。
また、上記では、鉄道事業者が連携サービス提供者となる場合の構成について述べたが、同様の構成で、航空輸送事業者やバス輸送事業者、船舶輸送事業者が連携サービス提供者となって同様のサービスを行うことができる。その場合、それぞれが運営する輸送サービスの電子乗車券カードアプリとクレジットカードアプリとが連携処理を行う。
【００６９】
（実施例２）
本発明の第２の実施例として、クレジットカード会社が連携サービス提供者となり、交通費相当額を電子買物券で払い戻す交通費払戻クーポンを発行するシステムについて説明する。
このシステムは、図９に示すように、クーポン利用店舗３１の依頼を受けて、クレジットカード会社２４が交通費払戻クーポン２５２を発行する点、モバイルＥＣカード９０が電子買物券カードアプリ９５を備えており、電子買物券カードアプリ９５が電子買物券情報９５１と利用履歴９５２とを保持している点、及び、ＰＯＳ端末１４を具備する電子買物券利用店舗１３が加わっている点で第１の実施例（図８）と違っている。
【００７０】
この交通費払戻クーポン２５２は、図５のデータフォーマットを有し、指定クーポン利用店で、指定クレジットカードを用いて指定金額以上使用した場合に、交通費に相当する電子買物券（連携クーポン発行電子バリュー）を発行することが規定されている。
図９では、このシステムの動作順序を括弧内の数字で示している。クーポン利用店舗３１は、交通費払戻クーポン２５２の発行条件として、交通費払戻金額の上限、交通費払戻クーポンの発行枚数、交通費払戻クーポンの使用を認める利用金額の下限等についてクレジットカード会社２４に伝え、交通費払戻クーポンの発行を要求する（１）。
クレジットカード会社２４の連携クーポン管理サーバ２２のユーザ検索手段２６は、ユーザ情報ＤＢ２１にアクセスし、ユーザの住所から、交通費払戻クーポンの発行条件を満たすユーザ（交通費払戻金額が上限を超えない範囲に住所を有するユーザ等）を検索し、クーポン生成手段２２３は、交通費払戻クーポン２５２を生成する。
【００７１】
クレジットカード会社２４は、検索したユーザにクーポン発行案内を送信し、クーポンを要求するユーザに交通費払戻クーポン２５２を発行する（２）。この交通費払戻クーポン２５２は、モバイルＥＣカード９０の連携カードアプリ９３に対して設定されたセキュアフラッシュメモリ領域９２に格納される。
ユーザは、鉄道（または電子乗車券カードアプリ９１が対応する交通機関）を利用してクーポン利用店舗３１へ移動する。その際、プリペイドマネー９１２を利用した改札処理の履歴が電子乗車券カードアプリ９１の改札履歴９１３に記録される（３）。ユーザは、クーポン利用店舗３１において商品の購入やサービスの提供を受け、交通費払戻クーポン２５２を使用し、クレジットカードアプリ９４で代金の決済処理を行う（４）。
【００７２】
連携カードアプリ９３の連携処理実行部９３３は、携帯端末４０を介し、クレジット利用履歴９４２、電子買物券情報９５１及び改札履歴９１３を収集して、交通費払戻クーポン２５２の実行条件を判定し、指定クーポン利用店で、指定クレジットカードを用いて指定金額以上使用されている場合に、交通費払戻クーポン２５２の中の連携クーポン発行電子バリューを電子買物券カードアプリ９５に発行して電子買物券情報９５１に追加する連携処理を行う（５）。
ユーザは、払い戻された電子買物券を利用して、電子買物券利用店舗１３で新たな決済処理を行う（６）。
【００７３】
このように、このシステムのモバイルＥＣカード９０は、電子乗車券カードアプリ９１、クレジットカードアプリ９４及び電子買物券カードアプリ９５の連携処理をオフラインで即時に行うことができる。
また、上記では、クレジットカード会社が連携サービス提供者となる場合の構成について述べたが、同様の構成で、銀行などのその他の金融機関が連携サービス提供者となって同様のサービスを行うことができる。その場合、その金融機関が提供するデビットカードアプリと電子マネーアプリと、電子乗車券カードアプリ９１及び電子買物券カードアプリ９５とが連携処理を行う。
【００７４】
なお、各実施形態及び実施例では、連携カードアプリが携帯端末を仲介として他のカードアプリとデータを交換し、連携処理を行う場合について説明したが、このカードアプリ間のデータ交換にシェアラブル・インターフェイスを利用することも可能である。
シェアラブル・インターフェイスは、ファイヤーウォールの存在下でも、相手側カードアプリとのデータ交換を可能にするために設けるインターフェイスであり、通常、相手側に公開するＡＰＩ（Application Programming Interface）の記述がカードアプリのソースコードに組み込まれる。
【００７５】
しかし、ここでは、他のカードアプリに公開するＡＰＩや、その中で行う認証処理等を再設計することはせずに、例えば図２において、カードアプリＡ、Ｂに対し、接触ホストインターフェイス５１を介して各カードアプリに対応する専用ホスト端末や管理サーバから入力されるコマンド群と同様の機能を提供するＡＰＩをカードアプリＡ、Ｂのシェアラブル・インターフェイスとして規定し、また、連携クーポンのカードアプリプラグインデータ２２４には、カードアプリＡ、Ｂが専用ホスト端末や管理サーバとの間で行う認証処理やデータ通信処理と同様の処理を行うためのインターフェイス情報を記述する。こうすることで、カードアプリＡ、Ｂは、専用ホスト端末や管理サーバとの間でデータ交換を行う場合と同様の態様で、カードアプリプラグインデータ２２４がロードされた連携カードアプリと直接データ交換を行うことができる。
【産業上の利用可能性】
【００７６】
本発明のセキュアデバイス及び携帯端末は、交通、レジャー、娯楽、ビジネス、教育、医療など、あらゆる分野で行われている各種サービスの連携を図るために利用することが可能である。
【図面の簡単な説明】
【００７７】
【図１】本発明の第１の実施形態における交通費払戻クーポンのシステムを説明する概念図
【図２】本発明の第２の実施形態におけるモバイルＥＣカードのハード構成を示すブロック図
【図３】本発明の第２の実施形態におけるシステムでのモバイルＥＣカードのカードアプリを示すブロック図
【図４】本発明の第２及び第３の実施形態におけるシステムでの連携クーポンのデータフォーマットを示す図
【図５】本発明の第２及び第３の実施形態におけるシステムでの連携クーポンの他のデータフォーマットを示す図
【図６】本発明の第２及び第３の実施形態におけるシステムでの連携処理手順を示すフロー図
【図７】本発明の第３の実施形態におけるシステムでのＩＣカードとモバイルＥＣカードのカードアプリを示す図
【図８】第１の実施例における交通費払戻クーポンのシステムを示すブロック図
【図９】第２の実施例における交通費払戻クーポンのシステムを示すブロック図
【図１０】本発明の第２及び第３の実施形態におけるシステムでの連携クーポンの他のデータフォーマットを示す図
【図１１】本発明の第２の実施形態におけるシステムでの他の構成でのモバイルＥＣカードのカードアプリを示すブロック図
【図１２】本発明の第３の実施形態におけるシステムでの他の構成でのＩＣカードとモバイルＥＣカードのカードアプリを示す図
【符号の説明】
【００７８】
１０  改札機
１１  駅
１２  自動改札機
１３  電子買物券利用店舗
１４  ＰＯＳ端末
２０  連携サービス提供者
２１  ユーザ情報ＤＢ
２２  連携クーポン管理サーバ
２３  鉄道事業者
２４  クレジットカード会社
２５  クーポン生成手段
２６  ユーザ検索手段
３０  レストラン
３１  クーポン利用店舗
３２  ＰＯＳ端末
４０  携帯端末
５０  ＩＣカード・モバイルＥＣカード
５１  接触ホストI／Ｆ
５２  非接触Ｉ／Ｆ（Ａ）
５３  非接触Ｉ／Ｆ（Ｂ）
５４  ＴＲＭ
５５  フラッシュメモリ
５６  セキュアフラッシュメモリ領域
６１  カードアプリＡ
６２  カードアプリＢ
６３  連携カードアプリ
７０  ＩＣカード
７１  カードアプリＡ
８０  モバイルＥＣカード
８１  カードアプリＢ
８２  連携カードアプリ
９０  モバイルＥＣカード
９１  電子乗車券カードアプリ
９２  セキュアフラッシュメモリ領域
９３  連携カードアプリ
９４  クレジットカードアプリ
９５  電子買物券カードアプリ
２２０  連携クーポン
２２１  連携クーポン状態情報
２２２  連携処理実行条件
２２３  端末アプリプラグインデータ
２２４  カードアプリプラグインデータ
２２５  認証鍵データ
２２６  連携クーポン表示データ
２２７  連携クーポン発行電子バリュー
２２８  連携クーポン発行カードアプリ
２２９  連携クーポン発行端末アプリ
２５１  交通費払戻クーポン
２５２  交通費払戻クーポン
６１１  状態情報
６１２  履歴情報
６２２  履歴情報
６３１  状態情報
６３２  履歴情報
６３３  連携処理実行部
６３４  連携クーポン蓄積部
６４０  カードマネージャ
６４２  連携クーポン発行端末アプリ
６４３  カードマネージャ
７１１  状態情報
７１２  履歴情報
８１１  状態情報
８１２  履歴情報
８２１  状態情報
８２２  履歴情報
８２３  連携処理実行部
８２４  連携クーポン蓄積部
９１１  定期券
９１２  プリペイドマネー
９１３  改札履歴
９３１  状態情報
９３２  履歴情報
９３３  連携処理実行部
９４１  クレジットカード情報
９４２  クレジット利用履歴
９５１  電子買物券情報
【図１】
2005316992.tif 000003
【図２】
2005316992.tif 000004
【図３】
2005316992.tif 000005
【図４】
2005316992.tif 000006
【図５】
2005316992.tif 000007
【図６】
2005316992.tif 000008
【図７】
2005316992.tif 000009
【図８】
2005316992.tif 000010
【図９】
2005316992.tif 000011
【図１０】
2005316992.tif 000012
【図１１】
2005316992.tif 000013
【図１２】
2005316992.tif 000014